(57)【要約】【課題】高速道路を走行中に２箇所のキロポストを知ることができる装置を提供する。【解決手段】本発明によるキロポスト表示装置は、キロポストとその位置の関係を示すテーブルと、ＧＰＳ信号より現在位置を検出するＧＰＳ受信装置と、現在のキロポストと時刻を表示する表示装置と、ホールドボタンとを有し、時刻ｔ１にて上記ホールドボタンを押すと、時刻ｔ１におけるキロポストと時刻が表示され、時刻ｔ１から所定時間経過後の時刻ｔ２に上記ホールドボタンを押すと時刻ｔ１におけるキロポストと時刻と共に時刻ｔ２におけるキロポストと時刻が表示される。【選択図】図１
2008064604.tif 000002
【特許請求の範囲】
【請求項１】
キロポストとその位置の関係を示すデータベースと、ＧＰＳ信号より現在位置を検出するＧＰＳ受信装置と、現在のキロポストと時刻を表示する表示装置と、ホールドボタンとを有し、時刻ｔ１にて上記ホールドボタンを押すと、時刻ｔ１におけるキロポストと時刻が表示され、時刻ｔ１から所定時間経過後の時刻ｔ２に上記ホールドボタンを押すと時刻ｔ１におけるキロポストと時刻と共に時刻ｔ２におけるキロポストと時刻が表示されることを特徴とするキロポスト表示装置。
【請求項２】
請求項１記載のキロポスト表示装置において、更に目標キロポストを設定するためにアラーム設定ボタンと警報装置を有し、該アラーム設定ボタンによって設定された目標キロポストの位置に到達すると上記警報装置が作動することを特徴とするキロポスト表示装置。
【請求項３】
請求項１記載のキロポスト表示装置において、更に周囲の明るさを検出する明るさ検出装置が設けられ、該明るさ検出装置の検出信号に基づいて、上記表示装置の画面の明るさが変化することを特徴とするキロポスト表示装置。
【発明の詳細な説明】
【技術分野】
【０００１】
本発明は高速道路に設けられたキロポストを表示するためのキロポスト表示器に関する。
【背景技術】
【０００２】
高速道路の中央分離帯及び路側帯には、１００メートル間隔でキロポストが設置されている。キロポストは、起点からの距離を１００メートル単位で表示するが、その位置情報（緯度及び経度）を示すものではない。
【０００３】
特開２０００−１１３３８３号公報には、予め幾つかのキロポストのデータとＧＰＳデータの関係を求めておき、現在位置をＧＰＳ信号を用いて検出し、現在位置に対応するキロポストを表示するキロポスト表示装置が記載されている。特開２００１−２６４０８７号公報には、ＧＰＳ信号より現在位置を検出し、現在位置におけるキロポスト、標識等の情報を表示する位置管理情報表示装置が記載されている。
【０００４】
【特許文献１】特開２０００−１１３３８３号公報
【特許文献２】特開２００１−２６４０８７号公報
【発明の開示】
【発明が解決しようとする課題】
【０００５】
高速道路を走行中に連続して２つの事故を目撃したときに、２つの事故の位置を知ることができると便利である。
また、走行中に特定のキロポストに接近したとき、それを知らせる機能があると便利である。
【０００６】
本発明の目的は、高速道路を走行中に２箇所のキロポストを知ることができる装置を提供することにある。
【０００７】
本発明の目的は、高速道路を走行中に目的のキロポストに近づいたとき、それを知ることができる装置を提供することにある。
【課題を解決するための手段】
【０００８】
本発明によるキロポスト表示装置は、キロポストとその位置の関係を示すデータべースと、ＧＰＳ信号より現在位置を検出するＧＰＳ受信装置と、現在のキロポストと時刻を表示する表示装置と、ホールドボタンとを有し、時刻ｔ１にて上記ホールドボタンを押すと、時刻ｔ１におけるキロポストと時刻が表示され、時刻ｔ１から所定時間経過後の時刻ｔ２に上記ホールドボタンを押すと時刻ｔ１におけるキロポストと時刻と共に時刻ｔ２におけるキロポストと時刻が表示される。
【０００９】
キロポスト表示装置、更に目標キロポストを設定するためにアラーム設定ボタンと警報装置を有し、該アラーム設定ボタンによって設定された目標キロポストの位置に到達すると上記警報装置が作動する。
【００１０】
キロポスト表示装置は、更に周囲の明るさを検出する明るさ検出装置が設けられ、該明るさ検出装置の検出信号に基づいて、上記表示装置の画面の明るさが変化する。
【発明の効果】
【００１１】
本発明によると、高速道路を走行中に２箇所のキロポストを知ることができる。更に、高速道路を走行中に目的のキロポストに近づいたとき、それを知ることができる。
【発明を実施するための最良の形態】
【００１２】
図１を参照して本発明によるキロポスト表示装置の例を説明する。本例のキロポスト表示装置は、ＧＰＳアンテナ１１、ＧＰＳ受信装置１２、演算部１３、メモリ１４、キロポストデータベース１５、表示部１６、慣性航法装置１７、入出力インターフェース１８、ホールドボタン２１、アラーム設定ボタン２２、アラーム報知器２３、明るさセンサ２４を有する。
【００１３】
キロポストデータベース１５には、全ての高速道路の上下線毎に、キロポストとその位置（緯度及び経度）の関係が登録されている。演算部１３は、ＧＰＳ受信装置１２からの位置情報に基づいて、走行中の高速道路と上り車線か下り車線かを判別し、通過したキロポストのうち現在位置に最も近いキロポストを検出する。他の高速道路に移った場合でも、走行中の高速道路と上り車線か下り車線かを判別し、現在位置に最も近いキロポストを検出する。
【００１４】
先ず、通常モードを説明する。ＧＰＳ受信装置１２は所定の周期にて、例えば１秒毎に、ＧＰＳアンテナ１１によって受信したＧＰＳ信号を解析し、現在位置の緯度及び経度を算出し、それを演算部１３に送る。演算部１３は、キロポストデータベース１５を参照し、現在のキロポストを検出する。演算部１３は、現在のキロポストと時刻を表示部１６に表示する。図２（ａ）に示すように、表示部１６の画面の下側に現在のキロポスト１２０．３と時刻２０時３０分が表示される。このキロポストと時刻は、時間と共に刻々と変化する。
【００１５】
トンネル等に入った場合には、ＧＰＳ信号を受信することができない。この場合には、演算部１３は、慣性航法装置１７によって演算された現在位置に基づいて、現在のキロポストを検出する。
【００１６】
次に、ホールドモードを説明する。ユーザが、例えば、２０時３０分に、ホールドボタン２１を押すと、演算部１３は、その時点のキロポスト１２０．３と時刻２０時３０分をメモリ１４に保存し、図２（ｂ）に示すように、表示部１６の画面の上側に、キロポスト１２０．３と時刻２０時３０分を表示する。表示部１６の画面の下側には、現在のキロポスト１２０．３と時刻２０時３１分が表示される。表示部１６の画面の上側に表示されたキロポスト１２０．３と時刻２０時３０分は変化しないが、表示部１６の画面の下側に表示されたキロポスト１２０．４と時刻２０時３１分は、時間と共に刻々と変化する。
【００１７】
ユーザが、例えば、２０時３２分に、再度ホールドボタン２１を押すと、演算部１３は、その時点のキロポスト１２０．６と時刻２０時３２分をメモリ１４に保存し、図２（ｃ）に示すように、表示部１６の画面の下側に、キロポスト１２０．６と時刻２０時３２分を表示する。表示部１６の画面の上側と下側の、キロポストと時刻は変化しない。
【００１８】
ユーザが、再度ホールドボタン２１を押すと、ホールドモードが解除され、通常モードに戻る。図２（ａ）に示すように、表示部１６の画面の下側に現在のキロポストと時刻が表示され、このキロポストと時刻は、時間と共に刻々と変化する。尚、ホールドボタン２１によってホールドされたキロポストと時刻はメモリ１４に保存されており、後に再表示することができる。
【００１９】
例えば、高速道路を走行中に連続して２つの事故を目撃したときに、ホールドボタン２１を２度押せばよい。それによって、２つの事故の位置を確認することができる。
【００２０】
図３を参照して、アラーム設定の手順を説明する。アラーム設定ボタンは、切り換えボタン２２Ａ、桁移動ボタン２２Ｂ、及び、数値インクリメントボタン２２Ｃからなり、アラーム報知器２３に隣接して設けられている。アラーム報知器２３は、警報ランプ２３Ａを含む。
【００２１】
通常モードにおいて、切り換えボタン２２Ａを押すと、表示部１６の画面は、アラーム設定画面となる。アラーム設定画面では、前回のキロポストの設定値が表示される。初めて設定する場合には、００００が表示される。桁移動ボタン２２Ｂを押すことにより、変更又は入力可能な桁が点滅する。数値インクリメントボタン２２Ｃを押すことによって、点滅している桁の数値が変化する。こうして、４桁のキロポストの設定値の入力が完了し、その値が確定したら、再度、切り換えボタン２２Ａを押す。それによって、元の、通常モードに変わる。
【００２２】
アラーム設定が完了すると、警報ランプ２３Ａが点灯する。走行中に、アラーム設定処理にて設定したキロポストに到達すると、警報ランプ２３Ａが点滅し、警報が鳴る。したがって、ユーザは、現在位置が設定したキロポストに到達したことを知ることができる。
【００２３】
図１に戻り、明るさセンサ２４について説明する。明るさセンサ２４は、周囲の明るさを検出する。演算部１３は、明るさセンサ２４からの信号に基づいて、表示部１６の画面の輝度を調節する。したがって、昼でも夜でも、ユーザは、表示部１６の画面に表示されたキロポストと時刻を見ることができる。
【００２４】
以上、本発明の例を説明したが本発明は上述の例に限定されるものではなく、特許請求の範囲に記載された発明の範囲にて様々な変更が可能であることは当業者に容易に理解されよう。
【図面の簡単な説明】
【００２５】
【図１】本発明によるキロポスト表示装置の構成例を示す図である。
【図２】本発明によるキロポスト表示装置の画面の例を示す図である。
【図３】本発明によるキロポスト表示装置のアラーム設定画面の例を示す図である。
【符号の説明】
【００２６】
１１…ＧＰＳアンテナ、１２…ＧＰＳ受信装置、１３…演算部、１４…メモリ、１５…キロポストデータベース、１６…表示部、１７…慣性航法装置、１８…入出力インターフェース、２１…ホールドボタン、２２…アラーム設定ボタン、２２Ａ…切り換えボタン、２２Ｂ…桁移動ボタン、２２Ｃ…数値インクリメントボタン、２３…アラーム報知器、２３Ａ…警報ランプ、２４…明るさセンサ
【図１】
2008064604.tif 000003
【図２】
2008064604.tif 000004
【図３】
2008064604.tif 000005